(57)【要約】【課題】装着が容易であると共に締め付け操作が容易なやわらかな感触の靴の提供。【解決手段】靴の前甲部に切り込みを設け、該切り込みを挟んで複数の締め付けバンド通し環を千鳥状に配し、最前部の通し環に一端を取り付け、他の通し環を挿通し折り曲げられる締め付けバンドの他端部裏面に、甲部を構成するループ群部材生地面に噛合する面ファスナー設けると共に、該ファスナーに噛合する面ファスナーを前甲部の最前部の通し環とは反対側の前甲部に設けた締め付けバンド付き靴。甲部表全体をループ群部材生地で作成しその面をファスナーとした態様、甲部全体をソフトな感触の生地で広く大きく作成した靴の態様が好ましい。締め付けバンドの他端に指掛けリングを設けたり、締め付けバンドの長さを調節可能にしたりしている。【選択図】　　　　図１
2004097498.tif 000002
【特許請求の範囲】
【請求項１】
靴の前甲部に切り込みを設け、該切り込みを挟んで複数の締め付けバンド通し環を千鳥状に配し、最前部の通し環に一端を取り付け、他の通し環を挿通し折り曲げられる締め付けバンドの他端部裏面に、甲部を構成するループ群部材生地面に噛合する面ファスナー設けると共に、該ファスナーに噛合する面ファスナーを前甲部の最前部の通し環とは反対側の前甲部に設けた締め付けバンド付き靴。
【請求項２】
甲部表全体をループ群部材生地で作成し、その面をファスナーとしたことを特徴とする請求項１記載の締め付けバンド付き靴。
【請求項３】
甲部全体をソフトな感触の生地で広く大きく作成した靴であって、その前甲部に切り込みを設け、該切り込みを挟んで複数の締め付けバンド通し環を千鳥状に配すると共に、最前部の通し環に一端を取り付け、他の通し環を挿通し折り曲げられる締め付けバンドの他端部裏面に、甲部表に縫い付けたループ群部材生地面に噛合する面ファスナー設けた、甲被全体の締め付けると甲被に柔らかくフィットする締め付けバンド付き靴。
【請求項４】
締め付けバンドの他端に指掛けリングを設けたことを特徴とする請求項１、２または３記載の締め付けバンド付き靴。
【請求項５】
締め付けバンドの長さを調節可能にしたことを特徴とする請求項１〜４のいずれかに記載の締め付けバンド付き靴。
【発明の詳細な説明】
【０００１】
【発明の属する技術分野】
本発明は、締め付けバンドの一端を引っ張るのみで甲被全体の締め付け操作ができる靴に関する。
【０００２】
【従来の技術】
従来の高齢者用の靴は履き口が小さく足を挿入するのが困難であったり、靴紐を緩めて履き口を拡げて足を挿入した後靴紐を締めて結ばなければならないので、着用が困難であったので、本発明者は、容易に着用できる前部が全開できる靴を提供した（文献１）が、このものは、足の挿入は容易になったが、締め付けが、前部を開口部に重ね合わせ、その後ベルトを重ね合わせるという二重の操作が必要である。
締め付けバンドを用いる靴の甲被の締結方法については（文献２〜４）があるが、高齢者用のソフトな感触の靴ではない。
【０００３】
【特許文献１】特開平２００１−１０４０１２号公報
【特許文献２】特開平７−１２４００２号公報
【特許文献３】実公平７−４２３２２号公報
【特許文献４】実開平７−３９５１２号公報
【０００４】
【発明が解決しようとする課題】
そこで、本発明は、靴の装着が容易であると共に、挿着後の締め付け操作が容易な靴を提供することを課題とする。
また、本発明は、装着が容易であると共に締め付け操作が容易なやわらかな感触の靴を提供することを課題とする。
【０００５】
【課題を解決するための手段】
上記課題を解決するため、請求項１の発明の締め付けバンド付き靴は、靴の前甲部に切り込みを設け、該切り込みを挟んで複数の締め付けバンド通し環を千鳥状に配し、最前部の通し環に一端を取り付け、他の通し環を挿通し折り曲げられる締め付けバンドの他端部裏面に、甲部を構成するループ群部材生地面に噛合する面ファスナー設けると共に、該ファスナーに噛合する面ファスナーを前甲部の最前部の通し環とは反対側の前甲部に設けたことを特徴とする。
【０００６】
また、請求項２の発明は、請求項１記載の発明において、甲部表全体をループ群部材生地で作成し、その面をファスナーとしたことを特徴とする。
【０００７】
上記課題を解決するため、請求項３の発明の靴は、甲部全体をソフトな感触の生地で広く大きく作成した靴であって、その前甲部に切り込みを設け、該切り込みを挟んで複数の締め付けバンド通し環を千鳥状に配すると共に、最前部の通し環に一端を取り付け、他の通し環を挿通し折り曲げられる締め付けバンドの他端部裏面に、甲部表に縫い付けたループ群部材生地面に噛合する面ファスナー設けた、締め付けバンドの一端を引っ張るのみで甲被全体の締め付け操作ができ甲被にフィットするものであることを特徴とする。
【０００８】
また、請求項４の発明は、請求項１、２または３記載の発明において、締め付けバンドの他端に指掛けリングを設けたことを特徴とし、請求項４の発明は、請求項１、２、３または４記載の発明において、締め付けバンドの長さを調節可能にしたことを特徴とする。
【０００９】
【作用】
履き口を大きく拡げて足を挿入した後、リングに指を掛けて引っ張り締め付けベルトを緊張させ、端部の面ファスナーを甲被表面に噛合させることにより、靴の装着を確実に行なえる。
甲部全体をソフトな感触の生地で広く大きく作成した靴であるので履き口を簡単に大きく拡げることができる。その前甲部に切り込みを設けたことにより、足の甲に馴染ませるように簡単に締め付けることができる。
締め付けバンドの一端を引っ張るのみで甲被全体の締め付け操作ができ、ソフトな感触の生地で広く大きく作成した甲部全体によって足の甲包み込むように包被され甲に柔らかくフィットする。
【００１０】
【実施例】
本発明の詳細を実施例にもとづいて説明する。本発明はこれらの実施例によって何ら限定されるものではない。
【００１１】
実施例１
図１、２、３は、本発明をソフトで着用の容易な靴を示す。
《本体部》
足の両側部および左右の甲被と、甲部を覆う甲被と、踵部を覆う甲被とが一体に形成され、甲部には大きな履き口を形成する前部の切り込み３が、親指側に片寄らせて設けられており、また、切り込み３の反対側の甲部には締め付けベルト８に取り付けられた面ファスナー１０と噛合する面ファスナー１１が取り付けられている。
【００１２】
上記甲被は軽量かつ柔軟性のある素材が好ましく、また、甲被を構成する外皮１は耐候性および強度の有る素材を、内皮２には肌触りの良い素材を選ぶことが好ましい。好ましくは、外皮１は、甲部表全体を目のこまかい軽量かつ柔軟性のあるメリヤス生地などを選び、内皮２と合わさった状態でソフトな感触の生地となるような素材で甲部全体をつくる。
【００１３】
なお、図中１２は履き口の周囲に取り付けた足首保護材であり、同１３は踵部の外側上部に設けた指が充分に入るループであり、靴の装着を助けるものである。
【００１４】
底部１４は軽量で屈曲性があり、かつ滑り難い素材を用いるか、軽量で屈曲性がある素材を採用し接地面には適宜の滑り止め手段が施されている。
【００１５】
上記構成の靴本体を、甲ラインにフィットさせた状態を作る締め付け部は、ベルト通し環４、５、６、調節環７、締め付けベルト８、指掛けリング９、面ファスナー１０、とで構成されている。
【００１６】
締め付けベルト８は、通し環に挿通し折り曲げられる材料であれば材質を問わないが、本体の外皮１の柔らかさを損なわない範囲で、一端を引っ張るのみで甲被全体の締め付け操作ができる締め付けバンドを構成できるものが好ましい。
締め付けベルト８の他端には指掛けリング９が取り付けられており、また、装着時裏面となる側には指掛けリング９に隣接して、本体の外皮１のループ群に噛合する面ファスナー１０が取り付けられている。
締め付けベルト８は着用する際に切り込み部が十分に広がるだけの長さを有する。
【００１７】
図中、４、５、６は、締め付けバンド通し環であり、４は取付環、５、６は締め付けベルト案内環であり、４、５、６は千鳥状に配置し、折り返された締め付けベルト８の重なりを少なくして、締め付けが滑らかに行えるようにすると共に、外皮１に対する接触面を広くし、締め付け力を分散させ圧迫感を少なくする。取付環４、案内環５、６は同一構成の方形のリング状をしており、締め付けベルト８と同材のベルトを介して、取付環４は甲部と底部１２との間に固着（逢着）され、案内環５、６は、締め付けベルト８と同材の取付ベルトを外皮１と内皮２との間に固着（逢着）される。
【００１８】
調節環７は、中央にベルト取付部を備えたバックルであり、締め付けベルト８の一端を固定すると共に、取付環４を通過して折り返された締め付けベルト８を通過させることにより、締め付けベルト８の長さを調節するものである。
【００１９】
締め付けベルト８は、一端が調節環７の取付部に固定され、取付環４で折り返され調節環７を通過し、さらに取付環４、案内環５、６によって折り曲げられ、Ｖ字状に配置されている。
【００２０】
以上の構成を備える靴を着用に当たっては、図３〜図５に示すように、外皮１と面ファスナー１０の噛合を解き締め付けベルト８を緩めて切り込み部３を大きく拡げて足を挿入し、その後指掛けリング９によって締め付けベルト８を引っ張ると、案内環６によって親指側の甲部が持ち上げられ他側の甲部の上に重なり合うので、その後面ファスナー１０を外皮１に縫い付けたループ群部材生地面１３に噛合させればよい。なお、靴を脱ぐ際には、外皮１のループ群部材生地面１３と面ファスナー１０の噛合を解き締め付けベルト８を緩めることによって締め付け状態を解除する。
【００２１】
以上の説明は、自力で靴を脱ぎ履きする過程を説明したが、自力で脱ぎ履きができない高齢者や障害者に対しては、介添え者が上記過程を代行して行う。　また、高齢者および障害者を対象にして説明したが、年令や性別に関係なく広く適用することができる。
【００２２】
実施例２
この実施例は、実施例１において締め付けバンドに取り付けた面ファスナーに噛合する面ファスナーを別部材として外皮に取り付けたのを、甲部表全体がループ群部材生地で作成し、フック機能をもたせた点が相違するのみで、その他の構成は実施例１のものと同様であり、したがって、着用用法法も実施例１の締め付けバンド付き靴の場合と同様である。
【００２３】
【発明の効果】
前部が大きく開くので足の挿入が容易であり、しかも締め付けが１操作で行えるので、高齢者でも容易に着用することができる。
【００２４】
甲部全体がループ群部材生地で作られているので、面ファスナーの噛合させる位置を自由に選択できるのでき、しかも、前部が全開するので、足の形状の如何を問わず着用することができる。
【００２５】
さらに、構造が簡単なのでコンパクトに折りたたむことができ軽量なので、日常の着用のみならず、旅行などに携行することができる。
【図面の簡単な説明】
【図１】本発明の靴の締め付けバンドを締めた状態（着用状態）の平面図である。
【図２】図１の右側面図である。
【図３】本発明の靴の締め付けバンドを緩めた状態（着用前）の平面図である。
【図４】本発明の靴の着用を説明する図面である。
【図５】本発明の靴の着用を説明する他の図面である。
【符号の説明】
１　外皮
２　内皮
３　切り込み
４　バンド通し環（取付環）
５、６　バンド通し環（案内環）
７　調節環
８　締め付けベルト
９　指掛けリング
１０　面ファスナー
１１　面ファスナー
１２　足首保護材
１３　ループ
１４　底部
【図１】
2004097498.tif 000003
【図２】
2004097498.tif 000004
【図３】
2004097498.tif 000005
【図４】
2004097498.tif 000006
【図５】
2004097498.tif 000007